(57)【特許請求の範囲】
【請求項１】
センサを識別するセンサ識別情報と、当該センサが異常を検知した際の動作を示す動作情報と、当該センサが異常を検知した際に屋外からの侵入者か否かを判断するための監視対象であるセンサを識別する監視対象センサ識別情報とを対応付けて記憶するセンサ情報記憶手段と、
センサが異常を検知した場合に送出される検知情報および前記センサを識別するセンサ識別情報を受信する検知情報受信手段と、
前記検知情報受信手段によって受信された前記検知情報および前記センサ識別情報を記憶する検知情報記憶手段と、
前記検知情報受信手段によって前記検知情報および前記センサ識別情報を受信した場合に、前記センサ識別情報に対応する前記動作情報および前記監視対象センサ識別情報を前記センサ情報記憶手段から取得する取得手段と、
前記取得手段によって取得した前記動作情報が異常を検知した場合に警報を送信する旨を示し、かつ、前記監視対象センサ識別情報が設定されている場合は、前記監視対象センサ識別情報に対応する検知情報が前記検知情報記憶手段に格納されているか否かを判定する検知情報判定手段と、
前記検知情報判定手段によって、前記監視対象センサ識別情報に対応する検知情報が前記検知情報記憶手段に格納されていないと判定された場合に警報情報を監視センタに送信する警報送信手段と、
を備え、
前記警報送信手段は、前記検知情報判定手段によって前記監視対象センサ識別情報に対応する検知情報が前記検知情報記憶手段に格納されていると判定され、かつ、前記検知情報受信手段によって前記検知情報を受信してから所定時間以内に前記検知情報を受信しなくなった場合に警報情報を前記監視センタに送信しないこと、を特徴とする警備装置。
【請求項２】
センサを識別するセンサ識別情報と、当該センサが異常を検知した際の動作を示す動作情報と、当該センサが異常を検知した際に屋外からの侵入者か否かを判断するための監視対象であるセンサを識別する監視対象センサ識別情報とを対応付けて記憶するセンサ情報記憶手段と、
センサが異常を検知した場合に送出される検知情報および前記センサを識別するセンサ識別情報を受信する検知情報受信手段と、
前記検知情報受信手段によって受信された前記検知情報および前記センサ識別情報を記憶する検知情報記憶手段と、
前記検知情報受信手段によって前記検知情報および前記センサ識別情報を受信した場合に、前記センサ識別情報に対応する前記動作情報および前記監視対象センサ識別情報を前記センサ情報記憶手段から取得する取得手段と、
前記取得手段によって取得した前記動作情報が異常を検知した場合に警報を送信する旨を示し、かつ、前記監視対象センサ識別情報が設定されている場合は、前記監視対象センサ識別情報に対応する検知情報が前記検知情報記憶手段に格納されているか否かを判定する検知情報判定手段と、
前記検知情報判定手段によって、前記監視対象センサ識別情報に対応する検知情報が前記検知情報記憶手段に格納されていないと判定された場合に警報情報を監視センタに送信する警報送信手段と、
を備え、
前記警報送信手段は、前記検知情報判定手段によって前記監視対象センサ識別情報に対応する検知情報が前記検知情報記憶手段に格納されていると判定され、かつ、前記検知情報受信手段によって前記検知情報を受信してから所定時間継続して前記検知情報を受信した場合に警報情報を監視センタに送信すること、を特徴とする警備装置。
【請求項３】
前記検知情報判定手段によって前記監視対象センサ識別情報に対応する検知情報が前記検知情報記憶手段に格納されていると判定された場合に、センサによる異常を検知する状態を解消するよう指示するメッセージを出力する出力手段、をさらに備えることを特徴とする請求項１または請求項２に記載の警備装置。
【請求項４】
警備装置が実行する警備方法であって、
前記警備装置は、
センサを識別するセンサ識別情報と、当該センサが異常を検知した際の動作を示す動作情報と、当該センサが異常を検知した際に屋外からの侵入者か否かを判断するための監視対象であるセンサを識別する監視対象センサ識別情報とを対応付けて記憶するセンサ情報記憶手段、を備え、
検知情報受信手段が、センサが異常を検知した場合に送出される検知情報および前記センサを識別するセンサ識別情報を受信する検知情報受信工程と、
記憶手段が、前記検知情報受信手段によって受信された前記検知情報および前記センサ識別情報を検知情報記憶手段に記憶する記憶工程と、
取得手段が、前記検知情報受信工程によって前記検知情報および前記センサ識別情報を受信した場合に、前記センサ識別情報に対応する前記動作情報および前記監視対象センサ識別情報を前記センサ情報記憶手段から取得する取得工程と、
検知情報判定手段が、前記取得工程によって取得した前記動作情報が異常を検知した場合に警報を送信する旨を示し、かつ、前記監視対象センサ識別情報が設定されている場合は、前記監視対象センサ識別情報に対応する検知情報が前記検知情報記憶手段に格納されているか否かを判定する検知情報判定工程と、
警報送信手段が、前記検知情報判定工程によって、前記監視対象センサ識別情報に対応する検知情報が前記検知情報記憶手段に格納されていないと判定された場合に警報情報を監視センタに送信する警報送信工程と、
前記警報送信手段が、前記検知情報判定工程によって前記監視対象センサ識別情報に対応する検知情報が前記検知情報記憶手段に格納されていると判定され、かつ、前記検知情報受信工程によって前記検知情報を受信してから所定時間以内に前記検知情報を受信しなくなった場合に警報情報を前記監視センタに送信しない工程と、を含むことを特徴とする警備方法。
【請求項５】
警備装置が実行する警備方法であって、
前記警備装置は、
センサを識別するセンサ識別情報と、当該センサが異常を検知した際の動作を示す動作情報と、当該センサが異常を検知した際に屋外からの侵入者か否かを判断するための監視対象であるセンサを識別する監視対象センサ識別情報とを対応付けて記憶するセンサ情報記憶手段、を備え、
検知情報受信手段が、センサが異常を検知した場合に送出される検知情報および前記センサを識別するセンサ識別情報を受信する検知情報受信工程と、
記憶手段が、前記検知情報受信手段によって受信された前記検知情報および前記センサ識別情報を検知情報記憶手段に記憶する記憶工程と、
取得手段が、前記検知情報受信工程によって前記検知情報および前記センサ識別情報を受信した場合に、前記センサ識別情報に対応する前記動作情報および前記監視対象センサ識別情報を前記センサ情報記憶手段から取得する取得工程と、
検知情報判定手段が、前記取得工程によって取得した前記動作情報が異常を検知した場合に警報を送信する旨を示し、かつ、前記監視対象センサ識別情報が設定されている場合は、前記監視対象センサ識別情報に対応する検知情報が前記検知情報記憶手段に格納されているか否かを判定する検知情報判定工程と、
警報送信手段が、前記検知情報判定工程によって、前記監視対象センサ識別情報に対応する検知情報が前記検知情報記憶手段に格納されていないと判定された場合に警報情報を監視センタに送信する警報送信工程と、
前記警報送信手段が、前記検知情報判定工程によって前記監視対象センサ識別情報に対応する検知情報が前記検知情報記憶手段に格納されていると判定され、かつ、前記検知情報受信工程によって前記検知情報を受信してから所定時間継続して前記検知情報を受信した場合に警報情報を監視センタに送信する工程と、を含むことを特徴とする警備方法。
【発明の詳細な説明】
【技術分野】
【０００１】
本発明は、警備装置および警備方法に関する。
【背景技術】
【０００２】
従来、警備モードが設定されている場合に、扉や窓に設置された開閉センサが異常を検知すると、警報を報知する警備装置が一般に知られている。このような警備装置では、誤って警備モードを解除せずに、扉や窓を開けてしまった場合は一定時間内にスイッチを押下する等のキャンセル処理を行う必要があり、警報をキャンセルする操作が煩雑であるという問題があった。
【０００３】
このような問題を解決するものとして、扉や掃出し窓を開錠した後に扉や掃出し窓の外部に設置された人感センサが人体を検知した場合に、警戒状態を解除するセキュリティ装置が開示されている（特許文献１参照）。このようなセキュリティ装置では、警備モードが設定されている場合であっても、扉や掃出し窓を開錠したことを検知した後に外部に設定されたセンサが人体を検知した場合は、家人が一時的に外に出たものと判断して警戒状態を解除するため、家人が不審者として検知されることがなく、誤報を防止することができる。
【０００４】
【特許文献１】特開２００６−３９７９８号公報
【発明の開示】
【発明が解決しようとする課題】
【０００５】
しかしながら、上記特許文献１に記載された技術では、屋外にセンサを設置することが必須となるため、通常の異常検知において外気の変化や動物等を検知することにより誤報が生じてしまう場合がある。また、上記特許文献１に記載された技術では、屋外に設置されたセンサが異常を検知した場合に警報を発するが、窓の開錠を検知したタイミングでは警報を発しないため、家人が最も危険な状態となる外部から屋内に不審者が侵入したことを把握することができないという問題があった。
【０００６】
本発明は、上記に鑑みてなされたものであって、誤報を少なくするとともに、不審者の屋内への侵入を確実に把握することができる警備装置および警備方法を提供することを目的とする。
【課題を解決するための手段】
【０００７】
上述した課題を解決し、目的を達成するために、請求項１にかかる発明は、センサを識別するセンサ識別情報と、当該センサが異常を検知した際の動作を示す動作情報と、当該センサが異常を検知した際に屋外からの侵入者か否かを判断するための監視対象であるセンサを識別する監視対象センサ識別情報とを対応付けて記憶するセンサ情報記憶手段と、センサが異常を検知した場合に送出される検知情報および前記センサを識別するセンサ識別情報を受信する検知情報受信手段と、前記検知情報受信手段によって受信された前記検知情報および前記センサ識別情報を記憶する検知情報記憶手段と、前記検知情報受信手段によって前記検知情報および前記センサ識別情報を受信した場合に、前記センサ識別情報に対応する前記動作情報および前記監視対象センサ識別情報を前記センサ情報記憶手段から取得する取得手段と、前記取得手段によって取得した前記動作情報が異常を検知した場合に警報を送信する旨を示し、かつ、前記監視対象センサ識別情報が設定されている場合は、前記監視対象センサ識別情報に対応する検知情報が前記検知情報記憶手段に格納されているか否かを判定する検知情報判定手段と、前記検知情報判定手段によって、前記監視対象センサ識別情報に対応する検知情報が前記検知情報記憶手段に格納されていないと判定された場合に警報情報を監視センタに送信する警報送信手段と、を備え、前記警報送信手段は、前記検知情報判定手段によって前記監視対象センサ識別情報に対応する検知情報が前記検知情報記憶手段に格納されていると判定され、かつ、前記検知情報受信手段によって前記検知情報を受信してから所定時間以内に前記検知情報を受信しなくなった場合に警報情報を前記監視センタに送信しないこと、を特徴とする。
【０００８】
また、請求項２にかかる発明は、センサを識別するセンサ識別情報と、当該センサが異常を検知した際の動作を示す動作情報と、当該センサが異常を検知した際に屋外からの侵入者か否かを判断するための監視対象であるセンサを識別する監視対象センサ識別情報とを対応付けて記憶するセンサ情報記憶手段と、センサが異常を検知した場合に送出される検知情報および前記センサを識別するセンサ識別情報を受信する検知情報受信手段と、
前記検知情報受信手段によって受信された前記検知情報および前記センサ識別情報を記憶する検知情報記憶手段と、前記検知情報受信手段によって前記検知情報および前記センサ識別情報を受信した場合に、前記センサ識別情報に対応する前記動作情報および前記監視対象センサ識別情報を前記センサ情報記憶手段から取得する取得手段と、前記取得手段によって取得した前記動作情報が異常を検知した場合に警報を送信する旨を示し、かつ、前記監視対象センサ識別情報が設定されている場合は、前記監視対象センサ識別情報に対応する検知情報が前記検知情報記憶手段に格納されているか否かを判定する検知情報判定手段と、前記検知情報判定手段によって、前記監視対象センサ識別情報に対応する検知情報が前記検知情報記憶手段に格納されていないと判定された場合に警報情報を監視センタに送信する警報送信手段と、を備え、前記警報送信手段は、前記検知情報判定手段によって前記監視対象センサ識別情報に対応する検知情報が前記検知情報記憶手段に格納されていると判定され、かつ、前記検知情報受信手段によって前記検知情報を受信してから所定時間継続して前記検知情報を受信した場合に警報情報を監視センタに送信すること、を特徴とする。
【０００９】
また、請求項３にかかる発明は、請求項１に記載の警備装置において、前記警報送信手段は、前記検知情報判定手段によって前記監視対象センサ識別情報に対応する検知情報が前記検知情報記憶手段に格納されていると判定され、かつ、前記検知情報受信手段によって前記検知情報を検知してから所定時間継続して前記検知情報を受信した場合に警報情報を監視センタに送信すること、を特徴とする。
【００１１】
また、請求項４にかかる発明は、警備装置が実行する警備方法であって、前記警備装置は、センサを識別するセンサ識別情報と、当該センサが異常を検知した際の動作を示す動作情報と、当該センサが異常を検知した際に屋外からの侵入者か否かを判断するための監視対象であるセンサを識別する監視対象センサ識別情報とを対応付けて記憶するセンサ情報記憶手段、を備え、検知情報受信手段が、センサが異常を検知した場合に送出される検知情報および前記センサを識別するセンサ識別情報を受信する検知情報受信工程と、記憶手段が、前記検知情報受信手段によって受信された前記検知情報および前記センサ識別情報を検知情報記憶手段に記憶する記憶工程と、取得手段が、前記検知情報受信工程によって前記検知情報および前記センサ識別情報を受信した場合に、前記センサ識別情報に対応する前記動作情報および前記監視対象センサ識別情報を前記センサ情報記憶手段から取得する取得工程と、検知情報判定手段が、前記取得工程によって取得した前記動作情報が異常を検知した場合に警報を送信する旨を示し、かつ、前記監視対象センサ識別情報が設定されている場合は、前記監視対象センサ識別情報に対応する検知情報が前記検知情報記憶手段に格納されているか否かを判定する検知情報判定工程と、警報送信手段が、前記検知情報判定工程によって、前記監視対象センサ識別情報に対応する検知情報が前記検知情報記憶手段に格納されていないと判定された場合に警報情報を監視センタに送信する警報送信工程と、前記警報送信手段が、前記検知情報判定工程によって前記監視対象センサ識別情報に対応する検知情報が前記検知情報記憶手段に格納されていると判定され、かつ、前記検知情報受信工程によって前記検知情報を受信してから所定時間以内に前記検知情報を受信しなくなった場合に警報情報を前記監視センタに送信しない工程と、を含むことを特徴とする。
【００１２】
また、請求項５にかかる発明は、警備装置が実行する警備方法であって、前記警備装置は、センサを識別するセンサ識別情報と、当該センサが異常を検知した際の動作を示す動作情報と、当該センサが異常を検知した際に屋外からの侵入者か否かを判断するための監視対象であるセンサを識別する監視対象センサ識別情報とを対応付けて記憶するセンサ情報記憶手段、を備え、検知情報受信手段が、センサが異常を検知した場合に送出される検知情報および前記センサを識別するセンサ識別情報を受信する検知情報受信工程と、記憶手段が、前記検知情報受信手段によって受信された前記検知情報および前記センサ識別情報を検知情報記憶手段に記憶する記憶工程と、取得手段が、前記検知情報受信工程によって前記検知情報および前記センサ識別情報を受信した場合に、前記センサ識別情報に対応する前記動作情報および前記監視対象センサ識別情報を前記センサ情報記憶手段から取得する取得工程と、検知情報判定手段が、前記取得工程によって取得した前記動作情報が異常を検知した場合に警報を送信する旨を示し、かつ、前記監視対象センサ識別情報が設定されている場合は、前記監視対象センサ識別情報に対応する検知情報が前記検知情報記憶手段に格納されているか否かを判定する検知情報判定工程と、警報送信手段が、前記検知情報判定工程によって、前記監視対象センサ識別情報に対応する検知情報が前記検知情報記憶手段に格納されていないと判定された場合に警報情報を監視センタに送信する警報送信工程と、前記警報送信手段が、前記検知情報判定工程によって前記監視対象センサ識別情報に対応する検知情報が前記検知情報記憶手段に格納されていると判定され、かつ、前記検知情報受信工程によって前記検知情報を受信してから所定時間継続して前記検知情報を受信した場合に警報情報を監視センタに送信する工程と、を含むことを特徴とする。 
【発明の効果】
【００１３】
本発明によれば、センサが異常を検知した場合に、異常を検知する前に監視対象センサが人体を検知したか否かをもとに、屋内または屋外のいずれに存在する人の動作によって異常を検知したかを判断することができるため、家人を検知することによる誤報を少なくするとともに、不審者の屋内への侵入を確実に把握することができるという効果を奏する。
【発明を実施するための最良の形態】
【００１４】
以下に添付図面を参照して、本発明にかかる警備装置および警備方法の最良な実施の形態を詳細に説明する。なお、本発明はこれらの実施の形態に限定されるものではない。
【００１５】
実施の形態について、添付図面を参照して説明する。まず、本発明が適用される警備装置の構成例について説明する。図１は、本実施の形態にかかる警備装置の構成を示すブロック図である。警備装置１００は、電話回線、無線ネットワーク、インターネットなどのネットワーク３００を介して監視センタ２００と接続されている。
【００１６】
本実施の形態にかかる警備装置１００は、センサ１０１と、検知情報受信部１０２と、検知情報判定部１０３と、操作パネル部１０４と、操作パネル制御部１０５と、送受信部１０６と、タイマ部１０７と、検知情報記憶部１１０と、センサ情報データベース１２０と、警備状態記憶部１３０とを備えている。
【００１７】
センサ１０１は、検知領域での異常を検知する。センサ１０１は、例えば赤外線の受光量の変化をもとに人を検知する焦電型赤外線センサ、赤外線などが遮られることで人を検知する遮断センサ、電磁波の乱れで人を検知する気配センサ（以下、空間を警戒するセンサを総称して空間センサという）、マグネットにより扉の開閉を検出するマグネットセンサ（以下、窓や扉等の境界を警戒するセンサを総称して境界センサという）、煙により火災を検知する火災感知センサ等の各種センサである。
【００１８】
検知情報受信部１０２は、センサ１０１が送出した異常を検知した際の検知情報および検知情報を送出したセンサ１０１を識別するセンサＩＤを受信する。なお、センサ１０１を識別する情報は、センサ１０１と警備装置本体部とでＬＡＮ（Local Area Network）を構築している場合には、センサＩＤに代えてセンサ１０１のアドレスを用いてもよい。検知情報記憶部１１０は、検知情報受信部１０２によって受信された検知情報およびセンサＩＤ、タイマ部１０７で計時された検知時刻を対応付けて記憶する。
【００１９】
操作パネル部１０４は、警備装置１００に関する情報の表示や警備装置１００に対する情報の入力が行われる。操作パネル部１０４では、例えば操作パネル部１０４に表示されたボタンの押下、暗証番号の入力や警備鍵の操作等によって警備状態の切替えが入力される。また、操作パネル部１０４は、センサ１０１それぞれに対する警備状態ごとの動作を設定する。また、操作パネル部１０４は、図示しないスピーカを備え、利用者に対するメッセージや警報、注意喚起の音声を出力する。
【００２０】
操作パネル制御部１０５は、操作パネル部１０４に対する表示情報、音声情報の送出や、操作パネル部１０４から入力された入力情報を取得する等の操作パネル部１０４に対する制御を行う。操作パネル制御部１０５は、入力された警備状態を警備状態記憶部１３０に格納する。また、操作パネル制御部１０５は、入力されたセンサ１０１それぞれに対する警備状態ごとの動作をセンサ情報データベース１２０に格納する。
【００２１】
警備状態記憶部１３０は、現在の警備装置１００の警備状態を記憶する。具体的には、操作パネル制御部１０５から入力された警備状態を記憶する。設定可能な警備状態には、大別して在宅警備モードと外出警備モードと警備解除モードとがある。
【００２２】
ここで、在宅警備モードとは、原則として家人が在宅している場合で、予めセンサ情報データベース１２０に設定しておいたセンサ１０１が異常を検知した場合に注意を喚起する音声や警報を操作パネル部１０４から出力したり、監視センタ２００に警報情報を送信する状態である。
【００２３】
外出警備モードとは、センサ１０１が異常を検知した場合にネットワーク３００を介して接続されている監視センタ２００に警報を送信する状態である。また、警備解除モードとは、センサ１０１が異常を検知した場合でも原則として警報を監視センタ２００に送信しない状態をいう。なお、警備解除モードであっても、火災感知センサが異常を検知した場合には警報を送信する。各モードにおいてどのセンサが警報を送信するか否かについての情報は、センサ情報データベース１２０に格納されている。
【００２４】
センサ情報データベース１２０は、センサ１０１それぞれに関する情報を格納する。図２は、センサ情報データベース１２０のデータ構成の一例を示す説明図である。センサ情報データベース１２０は、センサＩＤと、警備解除時センサ動作と、外出警備時センサ動作と、在宅警備時センサ動作と、在宅警備時タイマ設定時間と、状態監視対象センサＩＤとを対応付けて記憶している。
【００２５】
警備解除時センサ動作は、警備状態記憶部１３０に記憶されている現在の警備状態が“警備解除モード”の場合に、センサ１０１が異常を検知したときの動作を格納する。図２に示すように、センサＩＤ“０００１”に“警戒解除”が格納されている場合は、センサＩＤ“０００１”のセンサ１０１が異常を検知した場合であっても注意喚起の音声メッセージや警報を操作パネル部１０４から出力したり、監視センタ２００に警報情報を送信したりしない。なお、センサＩＤ“０００４” に示すセンサは、火災感知センサであるため、警備解除モードであっても異常を検知した場合は必ず注意喚起の音声メッセージや警報を操作パネル部１０４から出力したり、監視センタ２００に警報情報を送信するように“警戒”が格納されている。
【００２６】
外出警備時センサ動作は、警備状態記憶部１３０に記憶されている現在の警備状態が“外出警備モード”の場合に、センサ１０１が異常を検知したときの動作を格納する。図２に示すように、通常はセンサＩＤすべてに“警戒”が格納される。これにより、いずれのセンサ１０１が異常を検知しても警報が報知され、警報が監視センタ２００に送信される。ただし、各警備対象の個別の事情によって、“外出警備モード”の場合でも所定のセンサ１０１に対して“警戒解除”を設定してもよい。このように“警戒解除”が設定されたセンサ１０１が異常を検知した場合は、注意喚起の音声メッセージや警報を操作パネル部１０４から出力したり、監視センタ２００に警報情報を送信したりしない。
【００２７】
在宅警備時センサ動作は、警備状態記憶部１３０に記憶されている警備状態が“在宅警備モード”の場合に、センサ１０１が異常を検知したときの動作を格納する。在宅警備時センサ動作に“警戒”が格納されている場合で、かつ、監視対象センサＩＤが設定されていない場合は、センサ１０１が異常を検知すると注意喚起の音声メッセージや警報を操作パネル部１０４から出力され、警報が監視センタ２００に送信される。
【００２８】
また、在宅警備時センサ動作に“警戒”が格納されている場合で、かつ、監視対象センサＩＤが設定されている場合は、センサ１０１が異常を検知すると、検知情報記憶部１１０に監視対象センサＩＤに対応する検知情報が記憶されているか否かを判定し、記憶されている場合は、屋内に存在する人すなわち家人が検知されたと判断してセンサ１０１が異常を検知しても注意喚起の音声メッセージや警報を操作パネル部１０４から出力せず、監視センタ２００に警報情報を送信しない。一方、センサ１０１が異常を検知した場合に、検知情報記憶部１１０に監視対象センサＩＤに対応する検知情報が記憶されていない場合は、屋外に存在する人すなわち不審者が検知されたと判断してセンサ１０１が異常を検知した場合に注意喚起の音声メッセージや警報を操作パネル部１０４から出力し、監視センタ２００に警報情報を送信する。
【００２９】
また、在宅警備時センサ動作に“警戒解除”または“状態監視”が格納されている場合は、対応するセンサ１０１が異常を検知した場合であっても注意喚起の音声メッセージや警報を操作パネル部１０４から出力したり、監視センタ２００に警報情報を送信したりしない。
【００３０】
状態監視対象センサＩＤは、センサ１０１が異常を検知した場合に、屋内に存在する人を検知したのか屋外に存在する人を検知したのかを判断するための検知情報を送出するセンサを記憶する。例えば、センサ１０１が境界センサの場合に、センサ１０１が設置された窓がある部屋を警戒する空間センサを記憶しておくことにより、窓が屋内から開けられたか屋外から開けられたかを判断することができる。
【００３１】
センサ情報データベース１２０の在宅警備時センサ動作に、例えば外部からの侵入が可能な窓や玄関扉に設置され、開閉を検知する境界センサには、“警戒”に設定しておき、赤外線等で人体を検知する空間センサには“警戒解除”を設定しておくことにより、部屋の中で活動する家人を検知しても注意喚起の音声メッセージの出力等を行うことなく、屋外から窓や玄関扉を開けて侵入しようとする不審者を検知することができる。また、家人が窓や玄関扉を開けて境界センサが異常を検知した場合には、異常を検知したセンサに対応する監視対象センサが検知した検知情報が検知情報記憶部１１０に格納されていれば、屋内から家人による開放であると判断できるため、注意喚起の音声メッセージや警報を操作パネル部１０４から出力したり、監視センタ２００に警報情報を送信したりせず、誤報を防止することができる。
【００３２】
在宅警備時タイマ設定時間は、在宅警備時センサ動作に“警戒”が格納されている場合で、かつ、状態監視対象センサＩＤが設定されている場合に、異常を検知してから注意喚起の音声メッセージや警報を操作パネル部１０４から出力したり、監視センタ２００に警報情報を送信するまでの猶予時間を記憶する。例えば、屋内から窓を開けたと判断された場合は、猶予時間が経過するまで警報情報の送信等を猶予し、猶予時間が経過した時点で窓のセンサ１０１が復旧している（すなわち、窓を閉めた状態である）と判断された場合には、通常の窓を閉めるという動作で警報をキャンセルすることができる。このように、家人が誤って窓を開けた場合における警報の送信等をキャンセルする操作が容易である。
【００３３】
タイマ部１０７は、現在時刻を計時する。また、タイマ部１０７は、センサ情報データベース１２０に在宅警備時タイマ設定時間が設定されているセンサ１０１が異常を検知した場合は、異常を検知して在宅警備時タイマ設定時間を計時する。
【００３４】
検知情報判定部１０３は、センサ情報データベース１２０に監視対象センサＩＤが設定されているセンサ１０１が異常を検知した場合に、検知情報記憶部１１０に監視対象センサＩＤに対応する検知情報が格納されているか否かを判定する。監視対象センサＩＤに対応する検知情報が格納されるか否かにより、異常を検知したセンサ１０１が屋内に存在する人の動作によって異常が検知されたのか屋外に存在する人の動作によって異常が検知されたのかを判定することができる。
【００３５】
送受信部１０６は、監視センタ２００とネットワーク３００を介して各種情報を送受信する。送受信部１０６は、検知情報受信部１０２によってセンサ１０１からの検知情報を受信した場合、センサ情報データベース１２０に記憶された、検知情報を送出したセンサ１０１の現在の警備状態の動作に応じて警報情報を監視センタ２００に送信する。
【００３６】
次に、上述したように構成されている警備装置１００による警備処理について説明する。図３−１、図３−２は、検知情報受信部１０２、検知情報判定部１０３、操作パネル制御部１０５、送受信部１０６が行う在宅警備モードでの警備処理手順を示すフローチャートである。警備状態記憶部１３０に“在宅警備モード”が設定されている場合は、図３のフローチャートに示す処理が実行される。
【００３７】
まず、検知情報受信部１０２は、センサ１０１から検知情報とセンサＩＤを受信したか否かを判断する（ステップＳ３０１）。センサ１０１から検知情報とセンサＩＤを受信していないと判断した場合は（ステップＳ３０１：Ｎｏ）、ステップＳ３０１に戻り、検知情報とセンサＩＤを受信するまで処理を繰り返す。
【００３８】
センサ１０１から検知情報とセンサＩＤを受信したと判断した場合は（ステップＳ３０１：Ｙｅｓ）、検知情報受信部１０２は検知情報とセンサＩＤ、タイマ部１０７によって計時される検知時刻を検知情報記憶部１１０に格納する（ステップＳ３０２）。検知情報判定部１０３は、センサ情報データベース１２０からセンサＩＤ、在宅警備時に応じたセンサ動作を取得する（ステップＳ３０３）。検知情報判定部１０３は、センサ動作が“警戒”であるか否かを判断する（ステップＳ３０４）。センサ動作が“警戒”でない、すなわち“警戒解除”または“状態監視”であると判断した場合は（ステップＳ３０４：Ｎｏ）、ステップＳ３０１に戻る。
【００３９】
センサ動作が“警戒”であると判断した場合は（ステップＳ３０４：Ｙｅｓ）、検知情報判定部１０３はセンサ情報データベース１２０から監視対象センサＩＤ、在宅警備時タイマ設定時間を取得する（ステップＳ３０５）。検知情報判定部１０３は、センサ情報データベース１２０に監視対象センサＩＤが設定されているか否かを判断する（ステップＳ３０６）。センサ情報データベース１２０に監視対象センサＩＤが設定されていると判断した場合は（ステップＳ３０６：Ｙｅｓ）、検知情報判定部１０３は検知情報記憶部１１０から監視対象センサＩＤに対応する検知情報を取得する（ステップＳ３０７）。
【００４０】
検知情報判定部１０３は、検知情報記憶部１１０に監視対象センサＩＤに対応する検知情報が格納されているか否かを判断する（ステップＳ３０８）。なお、検知情報記憶部１１０には、検知情報やセンサＩＤとともに検知時刻も格納されているため、センサ１０１が異常を検知してから所定時間内に監視対象センサＩＤに対応する検知情報が格納されているか否かを判断してもよい。検知情報記憶部１１０に監視対象センサＩＤに対応する検知情報が格納されていると判断した場合（ステップＳ３０８：Ｙｅｓ）、すなわち屋内からセンサ１０１が異常を検知する動作を行ったと判断した場合は、操作パネル制御部１０５はセンサ１０１が異常を検知する状態を解除することを要請するメッセージを出力する（ステップＳ３０９）。
【００４１】
タイマ部１０７は、計時を開始する（ステップＳ３１０）。タイマ部１０７は、在宅警備時タイマ設定時間が経過したか否かを判断する（ステップＳ３１１）。在宅警備時タイマ設定時間が経過していないと判断した場合は（ステップＳ３１１：Ｎｏ）、検知情報受信部１０２はセンサ１０１が復旧しているか否かを判断する（ステップＳ３１２）。具体的には、検知情報受信部１０２がセンサ１０１から検知情報およびセンサＩＤを受信していない場合にはセンサ１０１が復旧していると判断する。
【００４２】
センサ１０１が復旧していると判断した場合は（ステップＳ３１２：Ｙｅｓ）、ステップＳ３０１に戻る。センサ１０１が復旧していないと判断した場合は（ステップＳ３１２：Ｎｏ）、ステップＳ３１１に戻る。
【００４３】
ステップＳ３０６において、センサ情報データベース１２０に監視対象センサＩＤが設定されていないと判断した場合は（ステップＳ３０６：Ｎｏ）、すなわち警報情報を即時に監視センタ２００に送信等するセンサ１０１であると判断した場合、また、ステップＳ３０８において、検知情報記憶部１１０に監視対象センサＩＤに対応する検知情報が格納されていないと判断した場合（ステップＳ３０８：Ｎｏ）、すなわち屋外からセンサ１０１が異常を検知する動作を行ったと判断した場合は、また、ステップＳ３１１において、在宅警備時タイマ設定時間が経過したと判断した場合は（ステップＳ３１１：Ｙｅｓ）、送受信部１０６は警報情報を監視センタ２００に送信する（ステップＳ３１３）。また、警報情報を監視センタ２００に送信することに代えて、または警報情報を監視センタ２００に送信することに加えて、操作パネル制御部１０５が操作パネル部１０４から注意喚起の音声メッセージや警報を出力してもよい。
【００４４】
このように、異常を検知したセンサに対応する監視対象センサが異常を検知した検知情報が格納されているか否かをもとに、屋内または屋外のいずれに存在する人の動作によってセンサが異常を検知したかを判定することができるため、家人によって異常が検知された場合の誤報を防止することができるとともに、不審者の屋内への侵入に対して迅速に警報情報の送信や注意喚起の音声メッセージや警報が出力されるため、不審者の屋内への侵入を確実に把握することができる。
【００４５】
また、タイマ設定時間以内に窓や玄関扉等を閉めるというような通常の動作を行うことにより、警報情報の監視センタへの送信をキャンセルすることができるため、通報のキャンセル操作が容易であり、利用者の操作負担を軽減することができる。
【００４６】
次に、警備解除モードでの警備処理を説明する。図４は、検知情報受信部１０２、検知情報判定部１０３、送受信部１０６が行う警備解除モードでの警備処理手順を示すフローチャートである。警備状態記憶部１３０に“警備解除モード”が設定されている場合は、図４のフローチャートに示す処理が実行される。
【００４７】
まず、検知情報受信部１０２は、センサ１０１から検知情報とセンサＩＤを受信したか否かを判断する（ステップＳ４０１）。センサ１０１から検知情報とセンサＩＤを受信していないと判断した場合は（ステップＳ４０１：Ｎｏ）、ステップＳ４０１に戻り、検知情報とセンサＩＤを受信するまで処理を繰り返す。
【００４８】
検知情報判定部１０３は、センサ情報データベース１２０からセンサＩＤ、警備解除時に応じたセンサ動作を取得する（ステップＳ４０２）。検知情報判定部１０３は、センサ動作が“警戒”であるか否かを判断する（ステップＳ４０３）。センサ動作が“警戒”でない、すなわち“警戒解除”であると判断した場合は（ステップＳ４０３：Ｎｏ）、ステップＳ４０１に戻る。
【００４９】
センサ動作が“警戒”であると判断した場合は（ステップＳ４０３：Ｙｅｓ）、送受信部１０６は警報情報を監視センタ２００に送信する（ステップＳ４０４）。また、警報情報を監視センタ２００に送信することに代えて、または警報情報を監視センタ２００に送信することに加えて、操作パネル制御部１０５が操作パネル部１０４から注意喚起の音声メッセージや警報を出力してもよい。
【００５０】
次に、外出警備モードでの警備処理を説明する。図５は、検知情報受信部１０２、検知情報判定部１０３、送受信部１０６が行う外出警備モードでの警備処理手順を示すフローチャートである。警備状態記憶部１３０に“外出警備モード”が設定されている場合は、図５のフローチャートに示す処理が実行される。
【００５１】
まず、検知情報受信部１０２は、センサ１０１から検知情報とセンサＩＤを受信したか否かを判断する（ステップＳ５０１）。センサ１０１から検知情報とセンサＩＤを受信していないと判断した場合は（ステップＳ５０１：Ｎｏ）、ステップＳ５０１に戻り、検知情報とセンサＩＤを受信するまで処理を繰り返す。
【００５２】
検知情報判定部１０３は、センサ情報データベース１２０からセンサＩＤ、外出警備時に応じたセンサ動作を取得する（ステップＳ５０２）。検知情報判定部１０３は、センサ動作が“警戒”であるか否かを判断する（ステップＳ５０３）。センサ動作が“警戒”でない、すなわち“警戒解除”であると判断した場合は（ステップＳ５０３：Ｎｏ）、ステップＳ５０１に戻る。
【００５３】
センサ動作が“警戒”であると判断した場合は（ステップＳ５０３：Ｙｅｓ）、送受信部１０６は警報情報を監視センタ２００に送信する（ステップＳ５０４）。また、警報情報を監視センタ２００に送信することに代えて、または警報情報を監視センタ２００に送信することに加えて、操作パネル制御部１０５が操作パネル部１０４から注意喚起の音声メッセージや警報を出力してもよい。
【００５４】
図６は、警備対象である住宅でのセンサ１０１の配置の一例を示す説明図である。図６に示すようにセンサ１０１を配置した場合での、在宅警備時の警備処理について図３−１、図３−２にフローチャートを用いて説明する。
【００５５】
図６に示す部屋Ａに家人がドアから入り、センサ１０１（ＩＤ＝０００２）が設定された窓を開放した場合の処理を説明する。センサ１０１（ＩＤ＝０００１）は、空間センサであり、図２に示すように在宅警備時センサ動作には“状態監視”が設定されている。
【００５６】
まず、家人が部屋Ａに入った場合、検知情報受信部１０２は、センサ１０１（ＩＤ＝０００１）から検知情報とセンサＩＤを受信したと判断し（ステップＳ３０１：Ｙｅｓ）、検知情報受信部１０２は検知情報とセンサＩＤ、タイマ部１０７によって計時される検知時刻を検知情報記憶部１１０に格納する（ステップＳ３０２）。検知情報判定部１０３は、センサ情報データベース１２０からセンサＩＤ、在宅警備時に応じたセンサ動作“状態監視”を取得する（ステップＳ３０３）。検知情報判定部１０３は、センサ動作が“警戒”でない、すなわち “状態監視”であると判断し（ステップＳ３０４：Ｎｏ）、ステップＳ３０１に戻る。
【００５７】
次に、家人がセンサ１０１（ＩＤ＝０００２）が設置された窓を開放した場合の処理を説明する。検知情報受信部１０２は、センサ１０１（ＩＤ＝０００２）から検知情報とセンサＩＤを受信したと判断し（ステップＳ３０１：Ｙｅｓ）、検知情報受信部１０２は検知情報とセンサＩＤ、タイマ部１０７によって計時される検知時刻を検知情報記憶部１１０に格納する（ステップＳ３０２）。検知情報判定部１０３は、センサ情報データベース１２０からセンサＩＤ、在宅警備時に応じたセンサ動作“警戒”を取得する（ステップＳ３０３）。
【００５８】
検知情報判定部１０３は、センサ動作が“警戒”であると判断し（ステップＳ３０４：Ｙｅｓ）、検知情報判定部１０３はセンサ情報データベース１２０から監視対象センサＩＤ“０００１”、在宅警備時タイマ設定時間“１０秒”を取得する（ステップＳ３０５）。検知情報判定部１０３は、センサ情報データベース１２０に監視対象センサＩＤが設定されていると判断し（ステップＳ３０６：Ｙｅｓ）、検知情報判定部１０３は検知情報記憶部１１０から監視対象センサＩＤに対応する検知情報を取得する（ステップＳ３０７）。
【００５９】
検知情報判定部１０３は、検知情報記憶部１１０に監視対象センサＩＤ“０００１”に対応する検知情報が格納されていると判断し（ステップＳ３０８：Ｙｅｓ）、すなわち屋内からセンサ１０１が異常を検知する動作を行ったと判断し、操作パネル制御部１０５はセンサ１０１が異常を検知する状態を解除することを要請するメッセージを出力する（ステップＳ３０９）。
【００６０】
タイマ部１０７は、計時を開始する（ステップＳ３１０）。タイマ部１０７は、在宅警備時タイマ設定時間が経過していないと判断し（ステップＳ３１１：Ｎｏ）、検知情報受信部１０２はセンサ１０１が復旧していると判断し（ステップＳ３１２：Ｙｅｓ）、ステップＳ３０１に戻る。これにより、誤報を防止することができ、センサ１０１（ＩＤ＝０００２）が設置された窓についても再び警戒状態となる。
【００６１】
次に、部屋Ｂで家人が就寝中に不審者によって窓が開放された場合の処理について説明する。センサ１０１（ＩＤ＝０００６）は、在宅警備モードにおいて状態監視を行う空間センサであり、センサ１０１（ＩＤ＝０００６、０００７）は、窓の開閉を検知する境界センサで、監視対象センサＩＤには“０００５”が設定されている。
【００６２】
まず、不審者がセンサ１０１（ＩＤ＝０００６）の設置された窓を開放した場合、検知情報受信部１０２は、センサ１０１（ＩＤ＝０００６）から検知情報とセンサＩＤ“０００６”を受信したと判断し（ステップＳ３０１：Ｙｅｓ）、検知情報受信部１０２は検知情報とセンサＩＤ、タイマ部１０７によって計時される検知時刻を検知情報記憶部１１０に格納する（ステップＳ３０２）。
【００６３】
検知情報判定部１０３は、センサ情報データベース１２０からセンサＩＤ“０００６”、在宅警備時に応じたセンサ動作“警戒”を取得する（ステップＳ３０３）。検知情報判定部１０３は、センサ動作が“警戒”であると判断し（ステップＳ３０４：Ｙｅｓ）、検知情報判定部１０３はセンサ情報データベース１２０から監視対象センサＩＤ“０００５”、在宅警備時タイマ設定時間を取得する（ステップＳ３０５）。検知情報判定部１０３は、センサ情報データベース１２０に監視対象センサＩＤが設定されていると判断し（ステップＳ３０６：Ｙｅｓ）、検知情報判定部１０３は検知情報記憶部１１０から監視対象センサＩＤに対応する検知情報を取得する（ステップＳ３０７）。
【００６４】
検知情報判定部１０３は、検知情報記憶部１１０に監視対象センサＩＤに対応する検知情報が格納されていないと判断し（ステップＳ３０８：Ｎｏ）、すなわち屋外からセンサ１０１が異常を検知する動作を行ったと判断し、送受信部１０６は警報情報を監視センタ２００に送信する（ステップＳ３１３）。これにより、不審者が窓を開放した場合には、即時警報情報が監視センタ２００に送信され、また警報等が出力されるため、不審者の屋内への侵入を確実に把握することができる。
【００６５】
なお、センサ１０１（ＩＤ＝０００５）は、焦電素子を用いたものであり、焦電素子の原理的な特徴から検知領域内で熱源が静止している場合には異常を検知しない。したがって、部屋Ｂで家人が就寝している場合には、家人を検知することがないため、検知情報記憶部１１０にセンサ１０１（ＩＤ＝０００５）の検知情報は格納されていない。
【００６６】
次に、部屋Ｃで家人が食事中に窓を開けるとともに、部屋Ｂから不審者が侵入する場合の処理について説明する。センサ１０１（ＩＤ＝０００８）は、在宅警備モードにおいて状態監視を行う空間センサであり、センサ１０１（ＩＤ＝０００９）は、窓の開閉を検知する境界センサで、監視対象センサＩＤには“０００８”が設定されている。
【００６７】
まず、家人が部屋Ｃで食事をしている場合、検知情報受信部１０２は、センサ１０１（ＩＤ＝０００８）から検知情報とセンサＩＤを受信したと判断し（ステップＳ３０１：Ｙｅｓ）、検知情報受信部１０２は検知情報とセンサＩＤ、タイマ部１０７によって計時される検知時刻を検知情報記憶部１１０に格納する（ステップＳ３０２）。検知情報判定部１０３は、センサ情報データベース１２０からセンサＩＤ、在宅警備時に応じたセンサ動作“状態監視”を取得する（ステップＳ３０３）。検知情報判定部１０３は、センサ動作が“警戒”でない、すなわち “状態監視”であると判断し（ステップＳ３０４：Ｎｏ）、ステップＳ３０１に戻る。
【００６８】
次に、家人がセンサ１０１（ＩＤ＝０００９）が設置された窓を開放した場合、検知情報受信部１０２はセンサ１０１（ＩＤ＝０００９）から検知情報とセンサＩＤを受信したと判断し（ステップＳ３０１：Ｙｅｓ）、検知情報受信部１０２は検知情報とセンサＩＤ、タイマ部１０７によって計時される検知時刻を検知情報記憶部１１０に格納する（ステップＳ３０２）。検知情報判定部１０３は、センサ情報データベース１２０からセンサＩＤ、在宅警備時に応じたセンサ動作“警戒”を取得する（ステップＳ３０３）。
【００６９】
検知情報判定部１０３は、センサ動作が“警戒”であると判断し（ステップＳ３０４：Ｙｅｓ）、検知情報判定部１０３はセンサ情報データベース１２０から監視対象センサＩＤ“０００８”、在宅警備時タイマ設定時間“１５秒”を取得する（ステップＳ３０５）。検知情報判定部１０３は、センサ情報データベース１２０に監視対象センサＩＤが設定されていると判断し（ステップＳ３０６：Ｙｅｓ）、検知情報判定部１０３は検知情報記憶部１１０から監視対象センサＩＤに対応する検知情報を取得する（ステップＳ３０７）。
【００７０】
検知情報判定部１０３は、検知情報記憶部１１０に監視対象センサＩＤ“０００８”に対応する検知情報が格納されていると判断し（ステップＳ３０８：Ｙｅｓ）、すなわち屋内からセンサ１０１が異常を検知する動作を行ったと判断し、操作パネル制御部１０５はセンサ１０１が異常を検知する状態を解除することを要請するメッセージを出力する（ステップＳ３０９）。
【００７１】
タイマ部１０７は、計時を開始する（ステップＳ３１０）。家人が１５秒以内に窓を閉めた場合には、タイマ部１０７は在宅警備時タイマ設定時間が経過していないと判断し（ステップＳ３１１：Ｎｏ）、検知情報受信部１０２はセンサ１０１が復旧していると判断し（ステップＳ３１２：Ｙｅｓ）、ステップＳ３０１に戻る。これにより、家人の動作による誤報を防止することができ、センサ１０１（ＩＤ＝０００９）が設置された窓についても再び警戒状態となる。
【００７２】
続いて、不審者が部屋Ｂの窓を開けた場合の処理を説明する。まず、不審者がセンサ１０１（ＩＤ＝０００７）の設置された窓を開放した場合、検知情報受信部１０２は、センサ１０１（ＩＤ＝０００７）から検知情報とセンサＩＤ“０００７”を受信したと判断し（ステップＳ３０１：Ｙｅｓ）、検知情報受信部１０２は検知情報とセンサＩＤ、タイマ部１０７によって計時される検知時刻を検知情報記憶部１１０に格納する（ステップＳ３０２）。
【００７３】
検知情報判定部１０３は、センサ情報データベース１２０からセンサＩＤ“０００７”、在宅警備時に応じたセンサ動作“警戒”を取得する（ステップＳ３０３）。検知情報判定部１０３は、センサ動作が“警戒”であると判断し（ステップＳ３０４：Ｙｅｓ）、検知情報判定部１０３はセンサ情報データベース１２０から監視対象センサＩＤ“０００５”、在宅警備時タイマ設定時間を取得する（ステップＳ３０５）。検知情報判定部１０３は、センサ情報データベース１２０に監視対象センサＩＤが設定されていると判断し（ステップＳ３０６：Ｙｅｓ）、検知情報判定部１０３は検知情報記憶部１１０から監視対象センサＩＤに対応する検知情報を取得する（ステップＳ３０７）。ここで、検知情報記憶部１１０には、センサ１０１（ＩＤ＝０００８）の検知情報は格納されているが、センサ１０１（ＩＤ＝０００５）の検知情報は格納されていない。
【００７４】
検知情報判定部１０３は、検知情報記憶部１１０に監視対象センサＩＤ“０００５”に対応する検知情報が格納されていないと判断し（ステップＳ３０８：Ｎｏ）、すなわち屋外からセンサ１０１が異常を検知する動作を行ったと判断し、送受信部１０６は警報情報を監視センタ２００に送信する（ステップＳ３１３）。このように、状態監視するセンサがセンサごとにセンサ情報データベース１２０に格納することにより、センサが屋内または屋外のいずれからの動作によって異常を検知したかを判断することができるため、不審者を確実に検知することができる。
【００７５】
また、上述した実施の形態と異なる他の在宅警備モードの際の警備処理について説明する。図７は、検知情報受信部１０２、検知情報判定部１０３、操作パネル制御部１０５、送受信部１０６が行う在宅警備モードでの警備処理手順を示すフローチャートである。警備状態記憶部１３０に“在宅警備モード”が設定されている場合は、図７のフローチャートに示す処理が実行される。
【００７６】
まず、検知情報受信部１０２は、センサ１０１から検知情報とセンサＩＤを受信したか否かを判断する（ステップＳ７０１）。センサ１０１から検知情報とセンサＩＤを受信していないと判断した場合は（ステップＳ７０１：Ｎｏ）、ステップＳ７０１に戻り、検知情報とセンサＩＤを受信するまで処理を繰り返す。
【００７７】
センサ１０１から検知情報とセンサＩＤを受信したと判断した場合は（ステップＳ７０１：Ｙｅｓ）、検知情報受信部１０２は検知情報とセンサＩＤ、タイマ部１０７によって計時される検知時刻を検知情報記憶部１１０に格納する（ステップＳ７０２）。検知情報判定部１０３は、センサ情報データベース１２０からセンサＩＤ、在宅警備時に応じたセンサ動作を取得する（ステップＳ７０３）。検知情報判定部１０３は、センサ動作が“警戒”であるか否かを判断する（ステップＳ７０４）。センサ動作が“警戒”でない、すなわち“警戒解除”または“状態監視”であると判断した場合は（ステップＳ７０４：Ｎｏ）、ステップＳ７０１に戻る。
【００７８】
センサ動作が“警戒”であると判断した場合は（ステップＳ７０４：Ｙｅｓ）、検知情報判定部１０３はセンサ情報データベース１２０から監視対象センサＩＤを取得する（ステップＳ７０５）。検知情報判定部１０３は、センサ情報データベース１２０に監視対象センサＩＤが設定されていたか否かを判断する（ステップＳ７０６）。センサ情報データベース１２０に監視対象センサＩＤが設定されていたと判断した場合は（ステップＳ７０６：Ｙｅｓ）、検知情報判定部１０３は検知情報記憶部１１０から監視対象センサＩＤに対応する検知情報を取得する（ステップＳ７０７）。
【００７９】
検知情報判定部１０３は、検知情報記憶部１１０に監視対象センサＩＤに対応する検知情報が格納されているか否かを判断する（ステップＳ７０８）。検知情報記憶部１１０に監視対象センサＩＤに対応する検知情報が格納されていると判断した場合（ステップＳ７０８：Ｙｅｓ）、検知情報受信部１０２はセンサ１０１が復旧しているか否かを判断する（ステップＳ７０９）。具体的には、検知情報受信部１０２がセンサ１０１から検知情報およびセンサＩＤを受信していない場合にはセンサ１０１が復旧していると判断する。
【００８０】
センサ１０１が復旧していると判断した場合は（ステップＳ７０９：Ｙｅｓ）、ステップＳ７０１に戻る。センサ１０１が復旧していないと判断した場合は（ステップＳ７０９：Ｎｏ）、ステップＳ７０９に戻る。
【００８１】
ステップＳ７０６において、センサ情報データベース１２０に監視対象センサＩＤが設定されていないと判断した場合は（ステップＳ７０６：Ｎｏ）、すなわち屋内からの動作か否かを判定するセンサ１０１であると判断した場合、また、ステップＳ７０８において、検知情報記憶部１１０に監視対象センサＩＤに対応する検知情報が格納されていないと判断した場合（ステップＳ７０８：Ｎｏ）、すなわち屋外からセンサ１０１が異常を検知する動作を行ったと判断した場合は、送受信部１０６は警報情報を監視センタ２００に送信する（ステップＳ７１０）。また、警報情報を監視センタ２００に送信することに代えて、または警報情報を監視センタ２００に送信することに加えて、操作パネル制御部１０５が操作パネル部１０４から注意喚起の音声メッセージや警報を出力してもよい。
【００８２】
このように、センサが異常を検知してから異常が検知されない状態となるまで時間を定めることなく、警報情報の監視センタへの送信が猶予されるため、家人の判断により自由度を高く窓を開放して空気の入れ替え等を行うことができる。
【００８３】
以上、本発明を実施の形態を用いて説明してきたが、上述した実施の形態に多様な変更または改良を加えることができる。また、上述した実施の形態において説明した構成や機能は、自由に組み合わせることができる。
【図面の簡単な説明】
【００８４】
【図１】本実施の形態にかかる警備装置の構成を示すブロック図である。
【図２】センサ情報データベースのデータ構成の一例を示す説明図である。
【図３−１】検知情報受信部、検知情報判定部、操作パネル制御部、送受信部が行う在宅警備モードでの警備処理手順を示すフローチャートである。
【図３−２】検知情報受信部、検知情報判定部、操作パネル制御部、送受信部が行う在宅警備モードでの警備処理手順を示すフローチャートである。
【図４】検知情報受信部、検知情報判定部、送受信部が行う警備解除モードでの警備処理手順を示すフローチャートである。
【図５】検知情報受信部、検知情報判定部、送受信部が行う外出警備モードでの警備処理手順を示すフローチャートである。
【図６】警備対象である住宅でのセンサの配置の一例を示す説明図である。
【図７】検知情報受信部、検知情報判定部、操作パネル制御部、送受信部が行う在宅警備モードでの警備処理手順を示すフローチャートである。
【符号の説明】
【００８５】
１００  警備装置
１０１  センサ
１０２  検知情報受信部
１０３  検知情報判定部
１０４  操作パネル部
１０５  操作パネル制御部
１０６  送受信部
１０７  タイマ部
１１０  検知情報記憶部
１２０  センサ情報データベース
１３０  警備状態記憶部
２００  監視センタ
３００  ネットワーク
【図１】
0005250278.tif 000002
【図２】
0005250278.tif 000003
【図３−１】
0005250278.tif 000004
【図３−２】
0005250278.tif 000005
【図４】
0005250278.tif 000006
【図５】
0005250278.tif 000007
【図６】
0005250278.tif 000008
【図７】
0005250278.tif 000009